(57)【要約】【課題】本体背面を冷却しつつ異常状態を検知して暖房運転を停止する電気ストーブを提供する。【解決手段】  背面パネル７下端の下部通気孔５１から空気が本体ケース部３の下部空間５２に流入しドラフト通気路５４を通過して上部空間５３から本体ケース部３へ流出し、異常時は高温となった空気が遮熱板２０の連通部５６を通過して最上部空間５５に流入し、残りは背面パネル７上端の上部通気孔５０を通過して本体ケース部３外へ流出するので、背面パネル７や前面パネル６が冷却されて触っても火傷等することがなく、又、異常時は流入した高温の空気が抜けていくところがない最上部空間５５の温度が上昇し、サーミスタ４６が動作する温度まで達すると異常検知して暖房運転を停止することができるものである。【選択図】図４
2011075217.tif 000002
【特許請求の範囲】
【請求項１】
ヒータと、該ヒータを覆う反射板と、該ヒータの前面を覆うガードが取り付けられる前面パネルと、該前面パネルと係合し上部と下部には上部通気孔と下部通気孔が複数形成された背面パネルと、係合した前面パネルと背面パネルの上部に取り付けられる操作部本体からなる本体ケース部を備え、該本体ケース部内の上部には上部空間が形成され、本体ケース部内の下部には下部空間が形成され、更に前記上部空間の上方にはサーミスタが設けられた最上部空間が形成され、前記上部空間と下部空間は、背面パネルと反射板により形成されるドラフト通気路により連通されると共に、最上部空間と上部空間はその境に設けた遮熱板の連通部により連通されたことを特徴とする電気ストーブ。
【請求項２】
前記前面パネルの上部に、上部空間と連通する放熱孔が複数形成された上部放熱板を設けたことを特徴とする請求項１記載の電気ストーブ。
【発明の詳細な説明】
【技術分野】
【０００１】
本発明は、器具本体が高温になるのを防止しつつ、異常時の器具内温度上昇を検知できる電気ストーブに関するものである。
【背景技術】
【０００２】
従来よりこの種の電気ストーブにおいては、器具本体背面下部に設けた給気孔から空気を流入し、反射板の背面側を経て器具本体正面上部に設けた通風孔より流出させる通風路を形成することで、器具本体の上部空間を温度上昇を防止するものがあった。（例えば特許文献１）。
【０００３】
また、所定の温度以上になると発熱体への電力供給を遮断する過熱保護素子をヒ器具本体内部における上端部付近に配置することで、布等が電気ストーブ前面を覆ってしまうと空間に放出されるはずの熱がストーブ内にこもって布等が発火するものがあった。（例えば特許文献２）。
【先行技術文献】
【特許文献】
【０００４】
【特許文献１】特開平０７−３１０９３２号公報
【特許文献２】特開２００６−２３０３３号公報
【発明の概要】
【発明が解決しようとする課題】
【０００５】
ところで、所定の温度以上になると発熱体への電力供給を遮断する過熱保護素子をヒータ本体部の内部における上端部付近に配置しつつ、器具本体内部に通風路を形成して器具本体の上部空間を温度上昇を防止する電気ストーブでは、異常により器具本体内部の温度が上昇しても、通風路によって排熱されてしまい、過熱保護素子が正確に異常による温度上昇を検知できないということがあった。
【課題を解決するための手段】
【０００６】
本発明は上記課題を解決するため、請求項１では、ヒータと、該ヒータを覆う反射板と、該ヒータの前面を覆うガードが取り付けられる前面パネルと、該前面パネルと係合し上部と下部には上部通気孔と下部通気孔が複数形成された背面パネルと、係合した前面パネルと背面パネルの上部に取り付けられる操作部本体からなる本体ケース部を備え、該本体ケース部内の上部には上部空間が形成され、本体ケース部内の下部には下部空間が形成され、更に前記上部空間の上方にはサーミスタが設けられた最上部空間が形成され、前記上部空間と下部空間は、背面パネルと反射板により形成されるドラフト通気路により連通されると共に、最上部空間と上部空間はその境に設けた遮熱板の連通部により連通されたものである。
【０００７】
また、請求項２では、請求項１記載の電気ストーブに於いて、前記前面パネルの上部に、上部空間と連通する放熱孔が複数形成された上部放熱板を設けたものである。
【発明の効果】
【０００８】
この発明の請求項１によれば、暖房運転を開始すると、通電されてヒータの温度が上昇し、それにより、本体ケース部の上部空間の温度が上昇するが、背面パネル下端の下部通気孔から、空気が本体ケース部の下部空間に流入しその流入した空気がドラフトされてドラフト通気路を通過して上部空間に流れ、流れ込んだ上部空間から背面パネル上端の上部通気孔を通過して本体ケース部へ流出するので、背面パネルは常に冷却されるので背面パネルを触っても火傷等することがなく、又、上部空間に熱がこもらないので、最上部空間も温度が著しく上昇することがなく、上部前面パネルも高温にならず触っても火傷等することがないと共に、最上部空間内のサーミスタの正常暖房運転時の雰囲気温度を低くすることが出来、異常高温時の温度上昇率を大きくできることで室温変化のように緩やかな温度変化による誤作動を防止できるものである。
【０００９】
又、電気ストーブの本体にタオル等が落ちて被ってしまったような状態になると、高温となった空気が遮熱板の連通部を通過して最上部空間に流入し、残りは背面パネル上端の上部通気孔を通過して本体ケース部外へ流出するので、この時、最上部空間は流入した高温の空気が抜けていくところがないので、最上部空間の温度が上昇し、サーミスタが動作する温度まで達すると、サーミスタが異常検知してヒータへの通電を停止し、暖房運転を停止することができるものである。
【００１０】
又、電気ストーブの本体にタオル等が落ちて被ってしまったような異常状態を単位時間での温度上昇率で検知する本電気ストーブでは、正常時ではサーミスタの雰囲気温度を低くし、異常時には素早くサーミスタの雰囲気温度を上昇させて確実に異常状態を検知して安全に暖房運転を停止することができるものである。
【００１１】
又、異常状態時でも上部空間に流入した高温の空気の一部を背面パネル上端の上部通気孔を通過して本体ケース部外へ流出するので、異常状態時に於いても背面パネルや上部空間が極端な高温になるのを防止できるものである。
【００１２】
又本発明の請求項２に記載の電気ストーブによれば、請求項１の電気ストーブにおいて、暖房運転を開始すると、通電されてヒータの温度が上昇し、それにより、本体ケース部の上部空間の温度が上昇するが、背面パネル下端の下部通気孔から、空気が本体ケース部の下部空間に流入しその流入した空気がドラフトされてドラフト通気路を通過して上部空間に流れ、流れ込んだ上部空間から背面パネル上端の上部通気孔と上部放熱板の放熱孔を通過して本体ケース部へ流出するので、背面パネルは常に冷却されるので背面パネルを触っても火傷等することがなく、又、上部空間に熱がこもらないので、最上部空間も温度が著しく上昇することがなく、上部前面パネルも高温にならず触っても火傷等することがないと共に、最上部空間内のサーミスタの正常暖房運転時の雰囲気温度を低くすることが出来、異常高温時の温度上昇率を大きくできることで室温変化のように緩やかな温度変化による誤作動を防止できるものである。
【００１３】
又、電気ストーブの本体にタオル等が落ちて被ってしまったような状態になると、タオルとガードとの間に高温となった空気が上昇し、上部放熱板の放熱孔から上部空間に流入し、上部空間に流入した高温の空気の一部は、遮熱板の連通部を通過して最上部空間に流入し、残りは背面パネル上端の上部通気孔を通過して本体ケース部外へ流出するので、この時、最上部空間は流入した高温の空気が抜けていくところがないので、最上部空間の温度が上昇し、サーミスタが動作する温度まで達すると、サーミスタが異常検知してヒータへの通電を停止し、暖房運転を停止することができるものである。
【００１４】
又、電気ストーブの本体にタオル等が落ちて被ってしまったような異常状態を単位時間での温度上昇率で検知する本電気ストーブでは、正常時ではサーミスタの雰囲気温度を低くし、異常時には素早くサーミスタの雰囲気温度を上昇させて確実に異常状態を検知して安全に暖房運転を停止することができるものである。
【００１５】
又、異常状態時でも上部空間に流入した高温の空気の一部を背面パネル上端の上部通気孔を通過して本体ケース部外へ流出するので、異常状態時に於いても背面パネルや上部空間が極端な高温になるのを防止できるものである。
【図面の簡単な説明】
【００１６】
【図１】この発明の一実施例を付した電気ストーブの斜視図。
【図２】同側面図。
【図３】同部品構成図。
【図４】同正常運転状態を示す説明図。
【図５】同異常運転状態を示す説明図。
【発明を実施するための形態】
【００１７】
次に、本発明に係る発明の一実施形態を図１に基づいて説明する。
【００１８】
１は平面視楕円形で円筒型の通常タワー型と言われる電気ストーブで、１本のヒータ２を備えた円筒型の本体ケース部３と、該本体ケース部３より大径で本体ケース部３底部で安定した倒立状態を保持するベース部４とからなり、前記本体ケース部３は、ヒータ２を備え該ヒータ２の前面を覆うガード５が取り付けられる前面パネル６と、該前面パネル６と係合する背面パネル７と、係合した前面パネル６と背面パネル７の上部に取り付けられる操作部本体８からなるものである。
【００１９】
前記ヒータ２は、ステンレスシーズヒータ管にブラックセラミックコーティングが施されており、多量の３〜２０ミクロンの遠赤外線を放射して身体のしんから暖めるものであり、しかも衝撃に強く、抜群の耐久性を有し、熱を反射する反射板９及びガード５と共に発熱部１０を構成するものである。
【００２０】
前記操作部本体８には、正面上部に暖房能力を表示する表示部１１を設けると共に、上面には操作部１２を設け、該操作部１２は暖房運転のオンオフ及び暖房能力を設定する回転式の運転つまみ１３と、暖房能力をある幅で高低させるゆらぎ運転スイッチ１４と、３０分から１〜３時間まで運転時間を設定できる切りタイマースイッチ１５と、本体ケース部３を首振り運転させる首振りスイッチ１６を有するものである。
【００２１】
又前記操作部本体８内には、表示部１１を制御する表示部基板１７や操作部１２の制御や各種モード制御するマイコンを有する操作部基板１８が取り付けられた操作部補強板１９が取り付けられており、該操作部補強板１９と背面パネル７上部との境には断面略クランク状の遮熱板２０が設けられているものである。
【００２２】
前記操作部基板１８には、ボール（図示せず）と接点を有する容器からなる転倒スイッチ２１が固定され、電気ストーブ１がどの方向でも４５℃以上傾斜すると転倒すると判断して電源を遮断して安全を確保するものである。
【００２３】
前記前面パネル６と背面パネル７で囲われた本体ケース部３内の下部には、ベース部４にネジにて固定され、本体ケース部３が首振り動作する際の首振り軸２２の一端を回転自在に支持する首振り軸支え２３がベース部４にネジにて固定され、首振り軸支え２３には本体ケース部３が載置され該本体ケース部３を首振り動作させるリンク部２４と、該リンク部２４を動作させる首振モータ２５が取り付けられたモータ取り付け台２６が回動自在に取り付けられているものである。
【００２４】
前記前面パネル６と背面パネル７で囲われた本体ケース部３内の下部には更に、温度検知手段２７が備えられており、この温度検知手段２７は倒立状態の通常時には、室温を検知しこの室温が１０℃未満では通常３４０Ｗ〜９００Ｗの出力を１７０Ｗ〜６８０Ｗに低下させ、又室温が１０℃〜２０℃未満では１２０Ｗ〜６３０Ｗに低下させ、又室温が２０℃以上では１２０Ｗ〜５２０Ｗに低下させる省エネモードの運転時の室温センサも兼用するものであり、そして器具である電気ストーブ１が通電状態で発熱部１０を床面側として転倒した場合で、転倒スイッチ２１が故障などの作動不良を起こした時には、大径のベース部４が本体ケース部３の少なくとも正面は突出しているので、本体ケース部３はベース部４に向かって登り傾斜した状態となっているから、発熱部１０よりの熱気は、温度検知手段２７が備えられている前面パネル６と背面パネル７で囲われた本体ケース部３の下部に集中し、又背面パネル７内方の熱も登り傾斜に沿って前面パネル６側に流通することで、温度検知手段２７が瞬時に所定温度ここでは５０℃以上を検知して、器具である電気ストーブ１の電源を遮断するものである。
【００２５】
２８は略箱状の基板ホルダで、首振モータ２５の上部に位置するように背面パネル７の下部に固定され、メイン基板２９が収納される基板収納部３０と、該基板収納部３０の上部に電源コード３１が案内されるコード差し込み部３２からなり、前記コード差し込み部３２は、奥から正面に向かって下り勾配となっている上部差し込み部３３と、正面の手前部分が下方向にテーパー状に形成された下部差し込み部３４と、前記上部差し込み部３２と下部差し込み部３４との間に設けられ、正面よりも奥側に電源コード３１が差し込まれる横長穴状の差し込み口３５より構成されているものである。
【００２６】
前記首振り軸支え２３は有底円筒状で、側面には電源コード３１と係合する電源コード係合部３６が形成され、上面には首振り軸２２の一端が差し込まれる首振り軸受け部３７と、リンク部２４のラチェットピン３８が差し込まれるラチェットピン受け部３９と、前記電源コード係合部３６で係合した電源コード３１が、首振り軸支え２３を通って本体ケース部３の正面側から立ち上がって首振り軸支え２３から上方に突出し、その上方に突出する電源コード３１を支持する電源コード支持部４０が形成されているものである。
【００２７】
前記電源コード３１は、首振り軸支え２３の背面側から首振り軸支え２３内に入って、首振り軸支え２３の正面側上面に突出して形成されている電源コード支持部４０から上方に突出するが、その突出位置は本体ケース部３の幅の中心と同じであり、そこから首振り軸支え２３の上方に位置する基板ホルダ２８の差し込み口３５に差し込まれ、更に差し込み口３５を貫通して基板ホルダ２８の反対側に出た電源コード３１の先端は、基板ホルダ２８内のメイン基板２９で本体ケース部３が首振り運転した時の回転中心近傍にあるコネクタに接続されているものである。
【００２８】
前記前面パネル６は、断面略コの字状の上部前面パネル４１と下部前面パネル４２とからなり、更に前記上部前面パネル４１の下方には断面略コの字状の上部放熱板４３が設けられると共に、前記下部前面パネル４２の上方には断面略コの字状の下部放熱板４４が設けられており、前記上部放熱板４３の正面部分には長穴状の放熱孔４５が複数形成されているものである。
【００２９】
又、異常温度を検知するサーミスタ４６が取り付けられた上部補強板４７が、操作部補強板１９下部に組み付けられ、又、前記上部放熱板４３の下部にはヒータ２の上端部分を固定する上部ヒータ取付板４８が設けられ、前記下部放熱板４４の上部にはヒータ２の下端部分を固定する下部ヒータ取付板４９が設けられている。
【００３０】
又、背面パネル７の上端と下端には、長穴状の上部通気孔５０と下部通気孔５１が複数形成され、背面パネル７と下部前面パネル４２と下部放熱板４４と下部ヒータ取付板４９とにより下部空間５２が形成され、背面パネル７と遮熱板２０と上部放熱板４３と上部ヒータ取付板４８とにより上部空間５３が形成され、該上部空間５３と下部空間５２は、背面パネル７と反射板９とにより形成されるドラフト通気路５４により連通されており、下部通気孔５１より本体ケース部３内に流れた空気は、ドラフト通気路５２を上昇して通過し、背面パネル７上端の上部通気孔５０から本体ケース部３外に流れるものである。
【００３１】
又、前記上部空間５３の上方には、遮熱板２０と上部前面パネル４１とサーミスタ４６が取り付けられた上部補強板４７とにより、最上部空間５５が形成され、更に遮熱板２０の略中央には、上部空間５３と最上部空間５５とを連通する連通部５６が形成され、該連通部５６の近傍にヒータ２の上端が位置しているものである。
【００３２】
次に、正常な状態での暖房運転の作動について説明する。
図４に示すように、操作部１２の運転つまみ１３を回転させて暖房運転を開始すると、ヒータ２に通電されてヒータ２より遠赤外線が放射されると共に、ヒータ２の温度が上昇する。
【００３３】
それにより、本体ケース部３の上部空間５３の温度が上昇すると共に、背面パネル７下端の下部通気孔５１から、空気が実線で示すように本体ケース部３の下部空間５２に流入し、その流入した空気がドラフトされてドラフト通気路５４を通過して上部空間５３に流れ、流れ込んだ上部空間５３から背面パネル７上端の上部通気孔５０と上部放熱板４３の放熱孔４５を通過して本体ケース部３外へ流出するものである。
【００３４】
それにより、背面パネル７は常に冷却されるので背面パネル７を触っても火傷等することがなく、又、上部空間５３に熱がこもらないので、最上部空間５５も温度が著しく上昇することがなく、上部前面パネル４１も高温にならず触っても火傷等することがないと共に、最上部空間５５内のサーミスタ４６の正常暖房運転時の雰囲気温度を低くすることが出来、異常高温時の温度上昇率を大きくできることで室温変化のように緩やかな温度変化による誤作動を防止できるものである。  
【００３５】
次に、異常な状態での暖房運転の停止について説明する。
図５に示すように、電気ストーブの本体にタオル５７が落ちて被ってしまったような状態になると、タオル５７とガード５との間に高温となった空気が点線で示したように上昇し、上部放熱板４３の放熱孔４５から上部空間５３に流入する。
【００３６】
上部空間５３に流入した高温の空気の一部は、遮熱板２０の連通部５６を通過して最上部空間５５に流入し、残りは背面パネル７上端の上部通気孔５０を通過して本体ケース部３外へ流出するものである。
【００３７】
この時、最上部空間５５は流入した高温の空気が抜けていくところがないので、最上部空間５５の温度が上昇し、サーミスタ４６が動作する温度まで達すると、サーミスタ４６が異常検知してヒータ２への通電を停止し、暖房運転を停止するものである。
【００３８】
これにより電気ストーブの本体にタオル５７が落ちて被ってしまったような異常状態を単位時間での温度上昇率で検知する本電気ストーブでは、正常時ではサーミスタ４６の雰囲気温度を低くし、異常時には素早くサーミスタ４６の雰囲気温度を上昇させて確実に異常状態を検知して安全に暖房運転を停止することができるものである。
【００３９】
又、異常状態時でも上部空間５３に流入した高温の空気の一部を背面パネル７上端の上部通気孔５０を通過して本体ケース部３外へ流出するので、異常状態時に於いても背面パネル７や上部空間５３が極端な高温になるのを防止できるものである。
【符号の説明】
【００４０】
２  ヒータ
３  本体ケース部
５  ガード
６  前面パネル
７  背面パネル
８  操作部本体
９  反射板
２０  遮蔽板
４６  サーミスタ
５０  上部通気孔
５１  下部通気孔
５２  下部空間
５３  上部空間
５４  ドラフト通気路
５５  最上部空間
５６  連通部
【図１】
2011075217.tif 000003
【図２】
2011075217.tif 000004
【図３】
2011075217.tif 000005
【図４】
2011075217.tif 000006
【図５】
2011075217.tif 000007